(57)【要約】【課題】自分の部屋サイズ、好みの色、および購入費用の条件に合致した家具一式を推薦することが可能な家具一式推薦システム等を提供する。【解決手段】端末は、Ｓ１１の処理で部屋サイズをサーバに送信する。サーバは、Ｓ１２の処理で、受信した部屋サイズに合致するレイアウトタイプの情報を取得し、端末に送信する。端末は、Ｓ１３の処理で、受信したレイアウトタイプの情報の選択、色味選択、および想定費用入力のための画面を表示し、利用者により設定されたそれらの条件をサーバに送信する。サーバは、Ｓ１４〜Ｓ２０の処理で、利用者により選択されたレイアウトタイプと好みの色味に合致し、かつ、想定費用に収まるような家具一式をデータベースから検索し、端末に送信する。端末は、受信した家具一式を表示する。【選択図】図１１
2013196426.tif 000002
【特許請求の範囲】
【請求項１】
サーバと端末とがネットワークを介して接続される家具一式推薦システムであって、
前記サーバは、
レイアウトタイプに関する情報および家具に関する情報を記憶する記憶手段と、
前記端末から送信されてきた部屋サイズの入力情報を受信し、前記記憶手段から、前記入力情報に対応する前記レイアウトタイプに関する情報を読み出し、前記端末に返信する返信手段と、
前記端末から送信されてきた、所定のレイアウトタイプの選択情報、所定の色味の選択情報、購入費用の入力情報を受信し、それらの情報に合致する前記家具に関する情報を前記記憶手段から検索する検索手段と、
前記検索手段により検索された前記家具に関する情報を、前記端末に推薦する推薦手段と、を備え、
前記端末は、
前記部屋サイズの入力情報を前記サーバに送信し、前記入力情報に基づいて前記サーバから返信されてきた前記レイアウトタイプに関する情報を受信し、前記レイアウトタイプの選択、前記色味の選択、前記購入費用の入力を行うための条件指定画面の表示を制御する第１の表示制御手段と、
前記条件指定画面上で指定された条件を前記サーバに送信し、前記条件に基づいて前記サーバから推薦された前記家具に関する情報を受信し、表示する第２の表示制御手段と、を備える
ことを特徴とする家具一式推薦システム。
【請求項２】
レイアウトタイプに関する情報および家具に関する情報を記憶する記憶手段と、
部屋サイズの入力情報を検知し、前記記憶手段から、前記入力情報に対応する前記レイアウトタイプに関する情報を読み出し、前記レイアウトタイプの選択、色味の選択、購入費用の入力を行うための条件指定画面の表示を制御する第１の表示制御手段と、
前記条件指定画面上で指定された条件に合致する前記家具に関する情報を前記記憶手段から検索する検索手段と、
前記検索手段により検索された前記家具に関する情報の表示を制御する第２の表示制御手段と、
を備えることを特徴とする家具一式推薦装置。
【請求項３】
前記レイアウトタイプに関する情報には、レイアウトタイプ毎に縦横比率の範囲が含まれており、
前記第１の表示制御手段は、検知した前記部屋サイズの入力情報の縦横比率に近いレイアウトタイプを前記条件指定画面に優先的に表示するように制御する
ことを特徴とする請求項２に記載の家具一式推薦装置。
【請求項４】
前記家具に関する情報には、家具種毎の縦横サイズ、レイアウト縦横サイズ、家具値段が含まれており、
前記検索手段は、前記家具種毎の縦横サイズ、前記レイアウト縦横サイズ、前記家具値段、および、前記購入費用に基づいて、前記家具に関する情報を評価し、家具種毎に評価の最も大きい前記家具に関する情報を検索する
ことを特徴とする請求項２に記載の家具一式推薦装置。
【請求項５】
レイアウトタイプに関する情報および家具に関する情報を記憶する記憶手段を備えたコンピュータによる家具一式推薦方法であって、
部屋サイズの入力情報を検知し、前記記憶手段から、前記入力情報に対応する前記レイアウトタイプに関する情報を読み出し、前記レイアウトタイプの選択、色味の選択、購入費用の入力を行うための条件指定画面の表示を制御する第１の表示制御ステップと、
前記条件指定画面上で指定された条件に合致する前記家具に関する情報を前記記憶手段から検索する検索ステップと、
前記検索手段により検索された前記家具に関する情報の表示を制御する第２の表示制御ステップと、
を含むことを特徴とする家具一式推薦方法。
【請求項６】
レイアウトタイプに関する情報および家具に関する情報を記憶する記憶手段と、
部屋サイズの入力情報を検知し、前記記憶手段から、前記入力情報に対応する前記レイアウトタイプに関する情報を読み出し、前記レイアウトタイプの選択、色味の選択、購入費用の入力を行うための条件指定画面の表示を制御する第１の表示制御手段と、
前記条件指定画面上で指定された条件に合致する前記家具に関する情報を前記記憶手段から検索する検索手段と、
前記検索手段により検索された前記家具に関する情報の表示を制御する第２の表示制御手段と、
を有する家具一式推薦装置として機能させるプログラム。
【発明の詳細な説明】
【技術分野】
【０００１】
本発明は、家具一式推薦システム等に関するものである。
【背景技術】
【０００２】
従来、顧客が、家の家具一式（例えば、ソファ、ベッド、ベッドカバー、テーブル、棚、ラグ、カーテン、ＴＶ台等）を揃える際に、インテリア見本等を参考にし、同じような雰囲気の家具を揃えたい場合、それらの家具の組み合わせを探すのは非常に大変である。
【０００３】
そこで、例えば、特許文献１には、入力した条件により提案される、インテリアプランナーが作成したインテリアプランを選択すると、そのプランを構成するインテリア商品を購入することができ、統一感をもったインテリア商品セットを購入できるインテリアプランニングシステムが提案されている。
【先行技術文献】
【特許文献】
【０００４】
【特許文献１】特開２００５-１９００００号公報
【発明の概要】
【発明が解決しようとする課題】
【０００５】
しかしながら、実際にインテリア商品の購入を判断する際には、自分の部屋サイズや費用が大きく影響するが、特許文献１では、自分の部屋サイズや費用を踏まえた購入ができない課題があった。
【０００６】
本発明は、前述した問題点に鑑みてなされたもので、その目的とすることは、自分の部屋サイズ、好みの色、および購入費用の条件に合致した家具一式を推薦することが可能な家具一式推薦システム等を提供することである。
【課題を解決するための手段】
【０００７】
前述した目的を達成するために、第１の発明は、サーバと端末とがネットワークを介して接続される家具一式推薦システムであって、前記サーバは、レイアウトタイプに関する情報および家具に関する情報を記憶する記憶手段と、前記端末から送信されてきた部屋サイズの入力情報を受信し、前記記憶手段から、前記入力情報に対応する前記レイアウトタイプに関する情報を読み出し、前記端末に返信する返信手段と、前記端末から送信されてきた、所定のレイアウトタイプの選択情報、所定の色味の選択情報、購入費用の入力情報を受信し、それらの情報に合致する前記家具に関する情報を前記記憶手段から検索する検索手段と、前記検索手段により検索された前記家具に関する情報を、前記端末に推薦する推薦手段と、を備え、前記端末は、前記部屋サイズの入力情報を前記サーバに送信し、前記入力情報に基づいて前記サーバから返信されてきた前記レイアウトタイプに関する情報を受信し、前記レイアウトタイプの選択、前記色味の選択、前記購入費用の入力を行うための条件指定画面の表示を制御する第１の表示制御手段と、前記条件指定画面上で指定された条件を前記サーバに送信し、前記条件に基づいて前記サーバから推薦された前記家具に関する情報を受信し、表示する第２の表示制御手段と、を備えることを特徴とする家具一式推薦システムである。
第１の発明によって、自分の部屋サイズ、好みの色、および購入費用の条件に合致した家具一式を推薦することができる。
【０００８】
第２の発明は、レイアウトタイプに関する情報および家具に関する情報を記憶する記憶手段と、部屋サイズの入力情報を検知し、前記記憶手段から、前記入力情報に対応する前記レイアウトタイプに関する情報を読み出し、前記レイアウトタイプの選択、色味の選択、購入費用の入力を行うための条件指定画面の表示を制御する第１の表示制御手段と、前記条件指定画面上で指定された条件に合致する前記家具に関する情報を前記記憶手段から検索する検索手段と、前記検索手段により検索された前記家具に関する情報の表示を制御する第２の表示制御手段と、を備えることを特徴とする家具一式推薦装置である。
第２の発明によって、自分の部屋サイズ、好みの色、および購入費用の条件に合致した家具一式を推薦することができる。
【０００９】
前記レイアウトタイプに関する情報には、レイアウトタイプ毎に縦横比率の範囲が含まれており、前記第１の表示制御手段は、検知した前記部屋サイズの入力情報の縦横比率に近いレイアウトタイプを前記条件指定画面に優先的に表示するように制御する。
これにより、利用者は、より条件にあったレイアウトタイプを選択することができる。
【００１０】
前記家具に関する情報には、家具種毎の縦横サイズ、レイアウト縦横サイズ、家具値段が含まれており、前記検索手段は、前記家具種毎の縦横サイズ、前記レイアウト縦横サイズ、前記家具値段、および、前記購入費用に基づいて、前記家具に関する情報を評価し、家具種毎に評価の最も大きい前記家具に関する情報を検索する。
これにより、利用者は、より条件にあった家具一式の推薦を受けることができる。
【００１１】
第３の発明は、レイアウトタイプに関する情報および家具に関する情報を記憶する記憶手段を備えたコンピュータによる家具一式推薦方法であって、部屋サイズの入力情報を検知し、前記記憶手段から、前記入力情報に対応する前記レイアウトタイプに関する情報を読み出し、前記レイアウトタイプの選択、色味の選択、購入費用の入力を行うための条件指定画面の表示を制御する第１の表示制御ステップと、前記条件指定画面上で指定された条件に合致する前記家具に関する情報を前記記憶手段から検索する検索ステップと、前記検索手段により検索された前記家具に関する情報の表示を制御する第２の表示制御ステップと、を含むことを特徴とする家具一式推薦方法である。
第３の発明によって、自分の部屋サイズ、好みの色、および購入費用の条件に合致した家具一式を推薦することができる。
【００１２】
第４の発明は、レイアウトタイプに関する情報および家具に関する情報を記憶する記憶手段と、部屋サイズの入力情報を検知し、前記記憶手段から、前記入力情報に対応する前記レイアウトタイプに関する情報を読み出し、前記レイアウトタイプの選択、色味の選択、購入費用の入力を行うための条件指定画面の表示を制御する第１の表示制御手段と、前記条件指定画面上で指定された条件に合致する前記家具に関する情報を前記記憶手段から検索する検索手段と、前記検索手段により検索された前記家具に関する情報の表示を制御する第２の表示制御手段と、を有する家具一式推薦装置として機能させるプログラムである。
第４の発明に係るプログラムをコンピュータにインストールすることで、第２の発明に係る家具一式推薦装置を得ることができる。
【発明の効果】
【００１３】
本発明により、自分の部屋サイズ、好みの色、および購入費用の条件に合致した家具一式を推薦することが可能な家具一式推薦システム、家具一式推薦装置、家具一式推薦方法、およびプログラムを提供することができる。
【図面の簡単な説明】
【００１４】
【図１】本発明の実施の形態に係る家具一式推薦システムの構成例を示す図である。
【図２】サーバのハードウェアの構成例を示すブロック図である。
【図３】サーバの記憶部に記憶されるデータベースを示す図である。
【図４】レイアウトタイプＤＢに記憶される情報の一例を示す図である。
【図５】レイアウトタイプ別家具サイズ／値段比率ＤＢに記憶される情報の一例を示す図である。
【図６】インテリア見本画像ＤＢに記憶される情報の一例を示す図である。
【図７】インテリア見本別家具種色規定ＤＢに記憶される情報の一例を示す図である。
【図８】家具種管理ＤＢに記憶される情報の一例を示す図である。
【図９】家具・商品ＤＢに記憶される情報の一例を示す図である。
【図１０】家具一式推薦システムにおける、インテリア情報および家具情報の登録処理を説明するフローチャートである。
【図１１】家具一式推薦システムにおける、家具一式推薦処理を説明するフローチャートである。
【図１２】部屋サイズ指定画面の表示例を示す図である。
【図１３】条件指定画面の表示例を示す図である。
【図１４】条件指定画面のレイアウトタイプ選択エリアにて所定のアイコンが選択された場合のポップアップ表示例を示す図である。
【図１５】家具一式推薦画面の表示例を示す図である。
【発明を実施するための形態】
【００１５】
以下、図面に基づいて、本発明の実施形態を詳細に説明する。
【００１６】
図１は、本発明の実施の形態に係る家具一式推薦システム１の構成例を示す図である。
【００１７】
図１に示す家具一式推薦システム１は、サーバ２、端末３、インテリアコーディネータ端末４、および家具メーカ端末５とがネットワーク６を介して相互に接続されることで構成される。なお、サーバ２、端末３、インテリアコーディネータ端末４、家具メーカ端末５の数は、任意であり、それぞれ複数設けることも勿論可能である。
【００１８】
本発明は、利用者による、家具購入費用の入力、インテリア見本（好みの色）の選択、および部屋サイズの入力を検知し、検知した部屋サイズに基づいて家具のレイアウトタイプを提示し、所定のレイアウトタイプが選択されると、部屋の大きさに収まり、かつ、家具購入費用に収まるような、インテリア見本の色の統一感を持つ家具一式を推薦することができるシステムを提供することである。
【００１９】
サーバ２は、CPU（Central
Processing Unit）、ROM（Read Only
Memory）、RAM（Random Access
Memory）、HDD（Hard Disc Drive）等からなるコンピュータシステムである。サーバ２は、端末３からネットワーク６を介して、部屋サイズの入力情報、レイアウトタイプや色味の選択情報、および家具購入費用の入力情報を受信し、予めデータベースに記憶されているデータ群の中から、それらの情報に応じたデータを読み出して端末３に送信する。
【００２０】
またサーバ２は、インテリアコーディネータ端末４からインテリア情報やレイアウト情報を受信するとともに、家具メーカ端末５から家具情報を受信し、データベースに記憶する。
【００２１】
端末３は、CPU、ROM、RAM、HDD、入力部、および表示画面などを実装したコンピュータである。端末３は、利用者により、部屋サイズの入力、レイアウトタイプや色味の選択、および家具購入費用の入力が行われると、それらの情報を、ネットワーク６を介してサーバ２に送信し、サーバ２から送信されてきた家具一式情報を受信し、受信した家具一式情報を表示（推薦）する。
【００２２】
端末３は、利用者により、部屋サイズが入力され、レイアウトタイプや色味が選択され、家具購入費用が入力されると、それらの情報を、ネットワーク６を介してサーバ２に送信する。
【００２３】
インテリアコーディネータ端末４は、CPU、ROM、RAM、HDD、入力部、および表示画面などを実装したコンピュータであって、インテリアコーディネータにより、インテリア情報やレイアウト情報が入力されると、それらの情報を、ネットワーク６を介してサーバ２に送信し、データベースに記憶させる。
【００２４】
家具メーカ端末５は、CPU、ROM、RAM、HDD、入力部、および表示画面などを実装したコンピュータであって、家具メーカ担当者により、家具情報が入力されると、その情報を、ネットワーク６を介してサーバ２に送信し、データベースに記憶させる。
【００２５】
ネットワーク６は、LAN（Local
Area Network）やインターネット等のネットワークであり、有線、無線は特に問わない。なお、図１では、サーバ２や端末３等がネットワーク６を介して接続された家具一式推薦システム１を示しているが、サーバ２や端末３等を一体として家具一式推薦装置を構成してもよい。
【００２６】
図２は、サーバ２のハードウェアの構成例を示すブロック図である。なお、図２のハードウェア構成は一例であり、用途、目的に応じて様々な構成を採ることが可能である。また、端末３も基本的にサーバ２と同様の構成を有する。
【００２７】
サーバ２（端末３）を実現するコンピュータは、制御部１１、記憶部１２、通信部１３、メディア入出力部１４、入力部１５、表示部１６等が、バス１７を介して接続される。
【００２８】
制御部１１は、CPU（Central
Processing Unit）、ROM（Read Only
Memory）、RAM（Random Access
Memory）等で構成される。CPUは、記憶部１２、ROM、記録媒体等に格納されるプログラムをRAM上のワークメモリ領域に呼び出して実行し、バス１７を介して接続された各装置を駆動制御し、サーバ２が行う後述する処理を実現する。ROMは、不揮発性メモリであり、コンピュータのブートプログラムやBIOS（Basic Input/Output System）等のプログラム、データ等を恒久的に保持している。RAMは、揮発性メモリであり、記憶部１２、ROM、記録媒体等からロードしたプログラム、データ等を一時的に保持するとともに、制御部１１が各種処理を行う為に使用するワークエリアを備える。
【００２９】
記憶部１２は、HDD（Hard
Disc Drive）であり、制御部１１が実行するプログラム、プログラム実行に必要なデータ、ＯＳ（オペレーティングシステム）等が格納される。プログラムに関しては、ＯＳ（オペレーティングシステム）に相当する制御プログラムや、後述する処理をコンピュータに実行させるためのアプリケーションプログラムが格納されている。これらの各プログラムコードは、制御部１１により必要に応じて読み出されてRAMに移され、CPUに読み出されて各種の手段として実行される。
【００３０】
通信部１３は、通信制御装置、通信ポート等を有し、コンピュータとネットワーク６間の通信を媒介する通信インターフェイスであり、ネットワーク６を介して、端末２、インテリアコーディネータ端末４、家具メーカ端末５との通信制御を行う。
【００３１】
メディア入出力部１４（ドライブ装置）は、データの入出力を行い、例えば、ＣＤドライブ（−ROM、−Ｒ、−ＲＷ等）、DVDドライブ（−ROM、−Ｒ、−ＲＷ等）等のメディア入出力装置を有する。
【００３２】
入力部１５は、データの入力を行い、例えば、キーボード、マウス等のポインティングデバイス、テンキー等の入力装置を有する。入力部１５を介して、コンピュータに対して、操作指示、動作指示、データ入力等を行うことができる。
【００３３】
表示部１６は、液晶パネル等のディスプレイ装置、ディスプレイ装置と連携してコンピュータのビデオ機能を実現するための論理回路等（ビデオアダプタ等）を有する。バス１７は、各装置間の制御信号、データ信号等の授受を媒介する経路である。
【００３４】
図３は、サーバ２の記憶部１２に記憶されるデータベースを示す図である。図３に示すように、サーバ２の記憶部１２には、レイアウトタイプＤＢ（データベース）２１、レイアウトタイプ別家具サイズ／値段比率ＤＢ２２、インテリア見本画像ＤＢ２３、インテリア見本別家具種色規定ＤＢ２４、家具種管理ＤＢ２５、および家具・商品ＤＢ２６が記憶される。
【００３５】
レイアウトタイプＤＢ２１は、例えば、図４に示すように、少なくとも、レイアウトタイプＩＤ毎に、レイアウトタイプ画像ＵＲＩ（Uniform Resource Identifier）、レイアウトタイプに合った家具種ＩＤ、縦横比率の上下限、および平方サイズの上下限のデータを記憶する。
【００３６】
レイアウトタイプＩＤは、レイアウトタイプを一意に識別するための情報を示し、レイアウトタイプ別家具サイズ／値段比率ＤＢ２２と紐付けられる。レイアウトタイプ画像ＵＲＩは、コンピュータ上のレイアウトタイプ画像の識別子である。レイアウト別構成家具種ＩＤは、家具種を一意に識別するための情報を示し、家具種管理ＤＢ２５と紐付けられる。縦横比率下限は、部屋サイズの縦横比の下限値を示す。縦横比率上限は、部屋サイズの縦横比の上限値を示す。平方サイズ下限は、部屋サイズの平米（縦×横）の下限値を示す。平方サイズ上限は、部屋サイズの平米の上限値を示す。
【００３７】
図４の例の場合、「１」のレイアウトタイプＩＤには、「/image/image1」のレイアウトタイプ画像ＵＲＩ、「１，３，４，５，８」のタイプ別構成家具種ＩＤ、「０．３」の縦横比下限、「１．５」の縦横比上限、「７」の平方サイズ下限、および「１５」の平方サイズ上限が紐付けられ、「２」のレイアウトタイプＩＤには、「/image/image2」のレイアウトタイプ画像ＵＲＩ、「１，２，３，４，５」のタイプ別構成家具種ＩＤ、「０．３」の縦横比下限、「１．５」の縦横比上限、「１５」の平方サイズ下限、および「３０」の平方サイズ上限が紐付けられている。
【００３８】
レイアウトタイプ別家具サイズ／値段比率ＤＢ２２は、例えば、図５に示すように、少なくとも、レイアウトタイプＩＤ毎に、家具種ＩＤ、レイアウト縦サイズ、家具種縦サイズ、レイアウト横サイズ、家具種横サイズ、および費用比率のデータを記憶する。
【００３９】
レイアウトタイプＩＤは、レイアウトタイプを一意に識別するための情報を示し、レイアウトタイプＤＢ２１と紐付けられる。家具種ＩＤは、家具種を一意に識別するための情報を示し、家具種管理ＤＢ２５と紐付けられる。レイアウト縦サイズは、レイアウトタイプ毎の縦サイズを示す。家具種縦サイズは、家具種毎の縦サイズを示す。レイアウト横サイズは、レイアウトタイプ毎の横サイズを示す。家具種横サイズは、家具種毎の横サイズを示す。費用比率は、家具購入費用に対する家具種毎の価格比率を示す。
【００４０】
図５の例の場合、「１」のレイアウトタイプＩＤには、「１」の家具種ＩＤ、「１０ｍ」のレイアウト縦サイズ、「３ｍ」の家具種縦サイズ、「５ｍ」のレイアウト横サイズ、「１．５ｍ」の家具種横サイズ、および「０．３」の費用比率が紐付けられ、「２」のレイアウトタイプＩＤには、「２」の家具種ＩＤ、「２０ｍ」のレイアウト縦サイズ、「６ｍ」の家具種縦サイズ、「１０ｍ」のレイアウト横サイズ、「３ｍ」の家具種横サイズ、および「０．２」の費用比率が紐付けられている。
【００４１】
インテリア見本画像ＤＢ２３は、例えば、図６に示すように、少なくとも、インテリア見本ＩＤ毎に、インテリア見本画像ＵＲＩのデータを記憶する。
【００４２】
インテリア見本ＩＤは、インテリア見本を一意に識別するための情報を示し、インテリア見本別家具種色規定ＤＢ２４、およびレイアウトタイプＤＢ２１と紐付けられる。インテリア見本画像ＵＲＩは、コンピュータ上のインテリア見本画像の識別子である。
【００４３】
図６の例の場合、「１」のインテリア見本ＩＤには、「/image/image1」のインテリア画像見本ＵＲＩが紐付けられ、「２」のレイアウトタイプＩＤには、「/image/image2」のインテリア画像見本ＵＲＩが紐付けられている。
【００４４】
インテリア見本別家具種色規定ＤＢ２４は、例えば、図７に示すように、少なくとも、インテリア見本ＩＤ毎に、家具種ＩＤ、家具種色、および素材のデータを記憶する。
【００４５】
インテリア見本ＩＤは、インテリア見本を一意に識別するための情報を示し、インテリア見本画像ＤＢ２３と紐付けられる。家具種ＩＤは、家具種を一意に識別するための情報を示し、家具種管理ＤＢ２５と紐付けられる。家具種色は、家具種ごとの色を示す。素材は、家具種ごとの素材を示す。
【００４６】
図７の例の場合、「１」のインテリア見本ＩＤには、「１」の家具種ＩＤ、「アイボリー」の家具種色、「木」の素材が紐付けられ、「２」のレイアウトタイプＩＤには、「２」の家具種ＩＤ、「黒」の家具種色、「ステンレス」の素材が紐付けられている。
【００４７】
家具種管理ＤＢ２５は、例えば、図８に示すように、少なくとも、家具種ＩＤ毎に、家具名称のデータを記憶する。
【００４８】
家具種ＩＤは、家具種を一意に識別するための情報を示し、レイアウトタイプＤＢ２１、レイアウトタイプ別家具サイズ／値段比率ＤＢ２２、およびインテリア見本別家具種色規定ＤＢ２４と紐付けられる。家具名称は、家具種ＩＤに紐付けられる家具の名称を示す。
【００４９】
家具・商品ＤＢ２６は、例えば、図９に示すように、少なくとも、商品ＩＤ毎に、家具種ＩＤ、色、素材、縦サイズ、横サイズ、および価格のデータを記憶する。
【００５０】
商品ＩＤは、家具（商品）を一意に識別するための情報を示す。家具種ＩＤは、家具種を一意に識別するための情報を示し、家具種管理ＤＢ２５と紐付けられる。色は、家具（商品）の色を示す。素材は、家具（商品）の素材を示す。縦サイズは、家具（商品）の縦のサイズを示す。横サイズは、家具（商品）の横のサイズを示す。値段は、家具（商品）の値段を示す。
【００５１】
図９の例の場合、「１」の商品ＩＤには、「１」の家具種ＩＤ、「白」の色、「木」の素材、「１０」の縦サイズ、「２０」の横サイズ、「１０００円」の値段が紐付けられ、「２」の商品ＩＤには、「１」の家具種ＩＤ、「黒」の色、「ステンレス」の素材、「１０」の縦サイズ、「２０」の横サイズ、「５００円」の値段が紐付けられている。
【００５２】
図１０は、家具一式推薦システム１における、インテリア情報および家具情報の登録処理を説明するフローチャートである。
【００５３】
ステップＳ１において、インテリアコーディネータ端末４の制御部は、インテリアコーディネータにより入力された、インテリア情報およびレイアウト情報等を、ネットワーク６を介してサーバ２に送信する。
【００５４】
ステップＳ２において、サーバ２の制御部１１は、ネットワーク６を介して受信したインテリア情報およびレイアウト情報を記憶部１２に記憶させ、データベースを構築する。これにより、図４〜図７に示したような、レイアウトタイプＤＢ２１、レイアウトタイプ別家具サイズ／値段比率ＤＢ２２、インテリア見本画像ＤＢ２３、およびインテリア見本別家具種色規定ＤＢ２４が構築される。
【００５５】
ステップＳ３において、家具メーカ端末５の制御部は、担当者により入力された家具情報を、ネットワーク６を介してサーバ２に送信する。
【００５６】
ステップＳ４において、サーバ２の制御部１１は、ネットワーク６を介して受信した家具情報を記憶部１２に記憶させ、データベースを構築する。これにより、図８及び図９に示したような、家具種管理ＤＢ２５および家具・商品ＤＢ２６が構築される。
【００５７】
以上の処理によって、サーバ２の記憶部１２には、予め、インテリア情報と家具情報に関するデータベースが構築される。
【００５８】
図１１は、家具一式推薦システム１における、家具一式推薦処理を説明するフローチャートである。なお、この処理では、端末３で入力された条件に基づいてサーバ２が家具一式を検索し、端末３に提示（推薦）するようにするが、サーバ２上で全ての処理を行うことも勿論可能である。
【００５９】
ステップＳ１１において、端末３の制御部は、利用者により部屋サイズの入力が行われたことを検知し、検知した入力情報（部屋サイズ）を、ネットワーク６を介してサーバ２に送信する。
【００６０】
例えば、家具一式の推薦（提示）を受けたい利用者は、端末３の表示部に、図１２に示すような部屋サイズ指定画面３１を表示させる。図１２に示す部屋サイズ指定画面３１には、部屋の縦サイズを入力する入力エリア３２、部屋の横サイズを入力する入力エリア３３、および、入力エリア３２、３３に入力された部屋サイズを確定する場合に選択される「次へ」のボタン３４が表示されている。
【００６１】
端末３の制御部１１は、図１２に示す部屋サイズ指定画面３１の入力エリア３２、３３に数値が入力され、「次へ」のボタン３４が押下されたことを検知すると、それら入力情報を、ネットワーク６を介してサーバ２に送信する。例えば、入力エリア３２に「５（ｍ）」、入力エリア３３に「６（ｍ）」が入力された場合について以下に説明する。
【００６２】
ステップＳ１２において、サーバ２の制御部１１は、ネットワーク６を介して送信されてきた部屋サイズ（縦５ｍ、横６ｍ）を受信し、記憶部１２のレイアウトタイプＤＢ２１を参照し、部屋サイズ（縦横比率、平方サイズ）に合致するレイアウトタイプの情報を取得する。
【００６３】
いまの場合、端末３から受信した部屋サイズが、縦５ｍ、横６ｍであるため、縦横比は、０．８３（≒５÷６）、平方サイズは、３０ｍ２（＝５×６）となり、それらの情報に合致するレイアウトタイプとして、図４に示すレイアウトタイプＤＢ２１から、「２」のレイアウトタイプＩＤの情報が取得される。なお、図示はしていないが、複数のレイアウトタイプが合致する場合もある。
【００６４】
そして、サーバ２の制御部１１は、取得した部屋サイズに合致するレイアウトタイプの情報（「２」のレイアウトタイプＩＤを持つレイアウトタイプに関する情報、および、部屋サイズに合致した他のレイアウトタイプに関する情報）を、ネットワーク６を介して端末３に送信する。端末３の制御部は、ネットワーク６を介して送信されてきたレイアウトタイプの情報を受信し、表示部に条件指定画面を表示させる。
【００６５】
図１３は、条件指定画面４１の表示例を示す図である。
【００６６】
図１３に示す条件指定画面４１には、利用者が好みの色味を選択する色味選択エリア４２、想定するレイアウトタイプを選択するレイアウトタイプ選択エリア４３、想定費用を入力する想定費用入力エリア４４、および、色味選択エリア４２〜想定費用入力エリア４４で設定された条件に基づく家具一式の検索を実行する場合に選択される「検索」のボタン４５が表示されている。
【００６７】
色味選択エリア４２は、端末３の記憶部に予め記憶されているインテリア見本データ（例えば、白を基調とするインテリアに関する画像データ、暖色系を基調とするインテリアに関する画像データ、黒を基調とするインテリアに関する画像データ等）に基づき表示されている。
【００６８】
レイアウトタイプ選択エリア４３は、ネットワーク６を介してサーバ２から受信したレイアウトタイプの情報（「２」のレイアウトタイプＩＤを持つレイアウトタイプに関する情報、および、他のレイアウトタイプに関する情報）に基づいて表示されている。なお、ネットワーク６を介してサーバ２から受信したレイアウトタイプの情報が複数ある場合には、部屋サイズの縦横比に近いレイアウトタイプを優先的に並べ替えて表示させるようにしてもよい。
【００６９】
利用者によって、レイアウトタイプ選択エリア４３の各レイアウトタイプのアイコンが選択されると、例えば、図１４に示すような、レイアウトタイプの詳細が表示されるようになっている。つまり、レイアウトタイプ選択エリア４３において、「タイプＡ」のアイコンが選択された場合には、図１４（Ａ）に示すようなレイアウトタイプがポップアップ表示され、「タイプＢ」のアイコンが選択された場合には、図１４（Ｂ）に示すようなレイアウトタイプがポップアップ表示され、「タイプＣ」のアイコンが選択された場合には、図１４（Ｃ）に示すようなレイアウトタイプがポップアップ表示される。
【００７０】
ステップＳ１３において、端末３の制御部は、図１３に示す条件指定画面４１上で、利用者により、色味選択エリア４２で所望の色味が選択され、レイアウトタイプ選択エリア４３で所望のレイアウトタイプが選択され、想定費用入力エリア４４に数値が入力され、「検索」のボタン４５が押下されたことを検知すると、それらの条件を、ネットワーク６を介してサーバ２に送信する。例えば、色味選択エリア４２で左の色味（白を基調とするインテリア）が選択され、レイアウトタイプ選択エリア４３で左のレイアウトタイプ（図１４（Ａ））が選択され、想定費用入力エリアに「２０００００（円）」が入力された場合について以下に説明する。
【００７１】
ステップＳ１４において、サーバ２の制御部１１は、ネットワーク６を介して送信されてきた条件（白を基調とするインテリア、図１４（Ａ）のレイアウトタイプ、２０００００円）を受信する。サーバ２の制御部１１は、記憶部１２のレイアウトタイプＤＢ２１を参照し、利用者により選択されたレイアウトタイプを構成する家具種ＩＤを取得する。
【００７２】
例えば、「２」のレイアウトタイプＩＤを持つレイアウトタイプが選択された場合、レイアウトタイプＤＢ２１から、「１，２，３，４，５」の家具種ＩＤが取得される。
【００７３】
ステップＳ１５において、サーバ２の制御部１１は、記憶部１２のインテリア見本別家具種色規定ＤＢ２４を参照し、ステップＳ１４の処理で取得された必要な家具種ＩＤ毎に、利用者により選択されたインテリア見本に合致する、家具種色および素材を取得する。
【００７４】
例えば、白を基調とするインテリア（「１」のインテリア見本ＩＤを持つインテリア見本）が選択され、「１，２，３，４，５」の家具種ＩＤが取得された場合、インテリア見本別家具種色規定ＤＢ２４から、「１」の家具種ＩＤに紐付けられた、「アイボリー」の家具種色、「木」の素材が取得される。
【００７５】
ステップＳ１６において、サーバ２の制御部１１は、利用者により入力された部屋サイズ（縦５ｍ、横６ｍ）、およびレイアウトタイプ別家具サイズ／値段比率ＤＢ２２を参照し、必要な家具種ＩＤ毎に利用者により選択されたレイアウトタイプに合致する、縦最大サイズおよび横最大サイズを、次式（１）に従って計算する。
家具種縦最大サイズ＝家具種縦サイズ÷レイアウト縦サイズ×部屋縦サイズ
家具種横最大サイズ＝家具種横サイズ÷レイアウト横サイズ×部屋横サイズ
・・・（１）
【００７６】
例えば、「２」のレイアウトタイプＩＤを持つレイアウトタイプが選択され、「２」の家具種ＩＤが取得された場合には、上記式（１）に従って計算すると、家具種縦最大サイズが、１．５ｍ（＝６÷２０×５）、家具種横最大サイズが、１．８ｍ（＝３÷１０×６）となる。
【００７７】
ステップＳ１７において、サーバ２の制御部１１は、レイアウトタイプ別家具サイズ／値段比率ＤＢ２２を参照し、利用者により選択されたレイアウトタイプに合致する、必要家具種毎の費用上限を、次式（２）に従って計算する。
家具種費用上限＝想定予算×費用比率                ・・・（２）
【００７８】
例えば、「２」のレイアウトタイプＩＤを持つレイアウトタイプが選択され、「２」の家具種ＩＤが取得された場合、上記式（２）に従って計算すると、「２」の家具種ＩＤを持つソファの費用上限が、４００００円（＝２０００００×０．２）となる。
【００７９】
ステップＳ１８において、サーバ２の制御部１１は、家具・商品ＤＢ２６を参照し、ステップＳ１５の処理で取得した家具種色および素材に一致し、かつ、ステップＳ１６の処理で計算した家具種毎の縦最大サイズと横最大サイズ、ステップＳ１７の処理で計算した費用上限に収まる家具（商品）群を取得（検索）する。これにより、必要家具種別に一次母集団（家具群）として選定される。
【００８０】
ステップＳ１９において、サーバ２の制御部１１は、家具・商品ＤＢ２６を参照し、必要家具種毎に、一次母集団の商品群の中で、次式（３）に示すランキング評価計算式の値が最も大きくなるような家具（商品）を検索する。
評価式＝｛（家具縦サイズ×家具横サイズ）／（縦最大サイズ×横最大サイズ）｝＋（家具値段／費用上限）                    ・・・（３）
【００８１】
ステップＳ２０において、サーバ２の制御部１１は、ステップＳ１９の処理で検索された家具種毎の家具（商品）に関する情報を、ステップＳ１４の処理で取得した家具種（「１，２，３，４，５」の家具種ＩＤ）の順に並べ、ネットワーク６を介して端末３に送信する。
【００８２】
ステップＳ２１において、端末３の制御部は、ネットワーク６を介してサーバ２から送信されてきた、家具種毎の家具（商品）に関する情報を受信し、家具一式推薦画面として表示部に表示させる。
【００８３】
図１５は、家具一式推薦画面５１の表示例を示す図である。
【００８４】
図１５に示す家具一式推薦画面５１には、サーバ２で検索された結果である、「ベッド、ベッドカバー、枕、枕カバー、ラグ、テーブル、ソファ、ＴＶ台、本棚」の家具群（商品群）が表示されている。なお、必要に応じて、選択したレイアウトタイプの詳細（図１４（Ａ））、家具毎の値段、総額、取扱い店等を併せて表示してもよい。
【００８５】
以上のように、部屋サイズの入力に基づいて提示されるレイアウトタイプの選択、好みの色味の選択、および家具購入費用の入力に基づいて、好みの色の統一感を持ち、部屋の大きさに収まり、かつ、購入費用に収まるような家具一式を容易に推薦することが可能となる。
【００８６】
以上、添付図面を参照しながら、本発明に係る家具一式推薦システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００８７】
１………家具一式推薦システム
２………サーバ
３………端末
１１………制御部
１２………記憶部
２１………レイアウトタイプＤＢ
２２………レイアウトタイプ別家具サイズ／値段比率ＤＢ
２４………インテリア見本別家具種色規定ＤＢ
２６………家具・商品ＤＢ
【図１】
2013196426.tif 000003
【図２】
2013196426.tif 000004
【図３】
2013196426.tif 000005
【図４】
2013196426.tif 000006
【図５】
2013196426.tif 000007
【図６】
2013196426.tif 000008
【図７】
2013196426.tif 000009
【図８】
2013196426.tif 000010
【図９】
2013196426.tif 000011
【図１０】
2013196426.tif 000012
【図１１】
2013196426.tif 000013
【図１２】
2013196426.tif 000014
【図１３】
2013196426.tif 000015
【図１４】
2013196426.tif 000016
【図１５】
2013196426.tif 000017